(57)【要約】【課題】枕への装着がきわめて容易であるとともに、どのような大きさの枕に対しても、十分にフィットさせて装着することが可能な枕カバーを提供する。【解決手段】枕カバー１は、略矩形のカバー本体２の対向する２辺の内の片辺に、折り曲げた同側面同士を互いに係合可能な係合テープ３，３・・が、所定の間隔で、片辺に対して直交するように設けられているとともに、カバー本体２の片辺と対向する他辺に、係合テープ３を挿通可能なループ体４，４・・が、係合テープ３，３・・と略同一の間隔で、他辺に対して直交するように設けられている。【選択図】図１
2010227384.tif 000002
【特許請求の範囲】
【請求項１】
枕の外周に捲回させて使用する枕カバーであって、
略矩形のカバー本体の対向する２辺の内の片辺に、帯状に形成されており折り曲げた同側面同士を互いに係合可能な係合テープが、所定の間隔で、前記片辺に対して直交するように設けられているとともに、
前記カバー本体の片辺と対向する他辺に、前記係合テープを挿通可能なループ体が、前記係合テープと略同一の間隔で、前記他辺に対して直交するように設けられていることを特徴とする枕カバー。
【請求項２】
前記ループ体が、大きさの異なる複数のループを連設したものであることを特徴とする請求項１に記載の枕カバー。
【請求項３】
前記係合テープが、先端をヘアピン状に屈曲させた複数の雄型突起と、リング状で複数の雌型突起とを同一面に混在するように突設したものであることを特徴とする請求項１、または請求項２に記載の枕カバー。
【発明の詳細な説明】
【技術分野】
【０００１】
本発明は、枕の外周に捲回させて使用する枕カバーに関するものである。
【背景技術】
【０００２】
枕に人の頭部が直接的に接触することによって枕が汗や整髪料等で汚れてしまう事態を防止するために、従来から枕カバーが広く利用されている。そのような枕カバーとしては、矩形状の布地の対向する両端縁にそれぞれ紐体を等間隔で取り付けたものが良く知られている。また、特許文献１の如く、枕への装着、脱着を容易なものとすべく、矩形状の布地の対向する両端縁際に複数の被係合部材を等間隔で取り付けたカバー本体と、両端に係合部材を取り付けた複数本の伸縮性ベルトとからなる枕カバーも考案されている。かかる枕カバーは、伸縮性ベルトの係合部材とカバー本体の被係合部材との係着位置を変更することによって、大きさの異なる枕に装着することができる。
【先行技術文献】
【特許文献】
【０００３】
【特許文献１】実用新案登録第３０９９２２５号公報
【発明の概要】
【発明が解決しようとする課題】
【０００４】
しかしながら、上記従来の枕カバーは、枕に装着する際には、伸縮性ベルトの係合部材（雄型あるいは雌型のスナップボタン）と、カバー本体の被係合部材（雌型あるいは雄型のスナップボタン）とを一つ一つ係合させなければならないため、装着作業が面倒であった。また、枕から脱着する際には、伸縮性ベルトの全ての係合部材を、カバー本体の被係合部材から一つ一つ取り外さなければならないため、脱着作業が面倒であった。加えて、カバー本体の被係合部材に係合させ得る伸縮性ベルトの係合部材の個数が限られているため、枕の大きさによってはフィットするように装着することができず、装着後のカバー本体に皺が寄ってしまうこともあった。
【０００５】
本発明の目的は、上記従来の枕カバーが有する問題点を解消し、枕への装着がきわめて容易であるとともに、どのような大きさの枕に対しても、十分にフィットさせて装着することが可能な枕カバーを提供することにある。
【課題を解決するための手段】
【０００６】
本発明の内、請求項１に記載された発明は、枕の外周に捲回させて使用する略矩形に形成された枕カバーであって、対向する２辺の内の片辺に、帯状に形成されており折り曲げた同側面同士を互いに係合可能な係合テープが、所定の間隔で、前記片辺に対して直交するように設けられているとともに、前記片辺と対向する他辺に、前記係合テープを挿通可能なループ体が、前記係合テープと略同一の間隔で、前記他辺に対して直交するように設けられていることを特徴とするものである。
【０００７】
請求項２に記載された発明は、請求項１に記載された発明において、前記ループ体が、大きさの異なる複数のループを連設したものであることを特徴とするものである。
【０００８】
請求項３に記載された発明は、請求項１、または請求項２に記載された発明において、前記係合テープが、先端をヘアピン状に屈曲させた複数の雄型突起と、リング状で複数の雌型突起とを同一面に混在するように突設したものであることを特徴とするものである。
【発明の効果】
【０００９】
請求項１に記載の枕カバーによれば、カバー本体を枕の外周に捲回させた状態でループ体のループ内に係合テープの先端を挿通させて、その先端を基端に係着させるだけで、きわめて容易に枕に装着することができる。また、係合テープの先端を基端から引き剥がすだけで、きわめて容易に枕から脱着することができる。
【００１０】
請求項２に記載の枕カバーは、ループ体が、大きさの異なる複数のループを連設したものであるため、係合テープを挿通させるループ体のループを変更することによって、大きさや形状の異なる多種類の枕に装着することができる。
【００１１】
請求項３に記載の枕カバーは、係合テープが互いに係合可能な複数の雄型突起と複数の雌型突起とを同一面に混在するように突設したものであり、係合テープをどの位置で折り曲げても先端と基端とを係合させることができるので、係合テープの先端と基端との係合位置を調整することによって、枕に対する装着状態（フィット状態）を微調節することができる。また、製造時には、係合テープに雄型突起と雌型突起とを別々に設ける必要がないので、非常に容易に製造することができる。
【図面の簡単な説明】
【００１２】
【図１】枕カバーの表面を示す説明図である。
【図２】枕カバーの裏面を示す説明図である。
【図３】カバー本体の断面図である。
【図４】係合テープの側面を示す説明図である。
【図５】ループ体の設置部分を示す説明図である。
【図６】枕カバーを枕に装着した状態を示す説明図（側方から見た断面図）である。
【発明を実施するための形態】
【００１３】
以下、本発明に係る枕カバーについて、図面に基づいて詳細に説明する。
【００１４】
＜枕カバーの構造＞
図１、図２は、本発明に係る枕カバーを示したものであり、枕カバー１は、枕に捲回させるためのカバー本体２と、そのカバー本体２の片方の短辺に取り付けられた３つの係合テープ３，３・・と、カバー本体２の他方の短辺に取り付けられた３つのループ体４，４・・とによって構成されている。
【００１５】
図３は、カバー本体２の断面を示したものである。カバー本体２は、合成繊維を網目状に織り込んだ略長方形状の第一ネット状シート５、当該第一ネット状シート５を構成する合成繊維よりも大径の合成繊維を網目状に織り込んだ略長方形状の第二ネット状シート６、および、天然繊維および合成繊維を網目状に織り込んだ略長方形状の第三ネット状シート７を積層し、それらの第一ネット状シート５、第二ネット状シート６、および第三ネット状シート７を長手方向に沿って等間隔で縫い合わせることによって形成されており、縦×横＝７００ｍｍ×５２０ｍｍの大きさを有している。そして、外周には、一定幅の帯状の縁取り布８が縫い付けられており、当該縁取り布８によって第一ネット状シート５、第二ネット状シート６および第三ネット状シート７の端縁が被覆された状態になっている。
【００１６】
また、図２の如く、カバー本体２の裏面の略中央には、第一ネット状シート５と同様な素材によって横長な矩形状に形成されたポケットシート９が積層されており、当該ポケットシート９の上下の端縁および片方の側端縁がシート本体２に縫い付けられている。そして、当該ポケットシート９とカバー本体２との間に、保冷剤等を収納するためのポケットＰが形成された状態になっている。また、ポケットＰの開口側には、縦長な矩形状の被覆シート１０がポケットシート９とカバー本体２との間に位置するように積層されており、当該被覆シート１０の上下の端縁および片方の側端縁がシート本体２に縫い付けられている。
【００１７】
一方、各係合テープ３，３・・は、帯状に形成されており、幅×長さ＝１９ｍｍ×２３５ｍｍの大きさを有している。また、図４は、係合テープ３の側面を示したものであり、係合テープ３は、合成繊維からなる織布であるベースシート１１の表面に、屈曲状の雄型突起１２，１２・・と、リング状の雄型突起１３，１３・・とを混在するように突設したものである。雄型突起１２，１２・・は、合成繊維を直径約１．０ｍｍのループ状に屈曲させたものであり、基端がベースシート１１に織り込まれている。一方、雄型突起１２，１２・・は、雌型突起１３，１３・・より太い合成繊維によって形成されており、先端際がヘアピン状に屈曲している。そして、先端に係合体１４が設けられており、他の部分よりも大径になっている。かかる雄型突起１２，１２・・も、雌型突起１３，１３・・と同様に、基端をベースシート１１に縫い込むことによって突設されている。なお、雄型突起１２，１２・・は、雌型突起１３，１３・・よりも低く形成されている。それらの雄型突起１２，１２・・および雌型突起１３，１３・・は、それぞれ、縦横において等間隔になるようにベースシート１１に設置されており、それぞれの単位面積当たりの設置個数は一定になっている。
【００１８】
上記の如く構成された各係合テープ３，３・・は、二つ折りして雄型突起１２，１２・・および雌型突起１３，１３・・の設置面（以下、突起形成面という）同士を当接させると、雄型突起１２，１２・・が雌型突起１３，１３・・内に入り込むため、二つ折りされた状態で保持されるようになっている。また、各係合テープ３，３・・は、カバー本体２の周囲の縁取り布８と一緒に縫い付けられることによって、カバー本体２の片方の短辺に、当該短辺に対して直交するように取り付けられている。そして、隣り合う係合テープ３，３同士の間隔は、約１６０ｍｍの等間隔になっており、外側の係合テープ３からカバー本体２の長辺までの距離は、約１００ｍｍになっている。
【００１９】
一方、各ループ体４，４・・は、帯状の紐体を二つ折りにして、中間の２箇所において２片を縫い付けることによって形成されており、約１７５ｍｍの長さを有している。また、基端から内側の縫い付け部までの長さ（図５におけるＡ）、内側の縫い付け部から外側の縫い付け部までの長さ（図５におけるＢ）、外側の縫い付け部から先端（二つ折りした部分）までの長さ（図５におけるＣ）は、それぞれ、約３５ｍｍ、約６５ｍｍ、約７５ｍｍになっている。そして、それらの基端から内側の縫い付け部までの部分、内側の縫い付け部から外側の縫い付け部までの部分、外側の縫い付け部から先端（二つ折りした部分）までの部分が、それぞれ、ループＲ１，Ｒ２，Ｒ３を形成した状態になっている。
【００２０】
上記した各ループ体４，４・・も、各係合テープ３，３・・と同様に、カバー本体２の周囲の縁取り布８と一緒に縫い付けられることによって、カバー本体２の片方の短辺に、当該短辺に対して直交するように取り付けられており、隣り合うループ体４，４同士の間隔が、約１６０ｍｍの等間隔になっており、外側のループ体４からカバー本体２の長辺までの距離が、約１００ｍｍになっている。
【００２１】
＜枕カバーの使用方法＞
図６は、上記の如く構成された枕カバー１を枕Ｍに装着した状態を示したものであり、枕カバー１を枕Ｍに装着する場合には、カバー本体２を枕Ｍの外周に捲回させた状態で、各ループ体４，４・・のループＲ（Ｒ１，Ｒ２，Ｒ３のいずれか）内に各係合テープ３，３・・の先端を挿通させ、その先端の突起形成面を基端の突起形成面に当接させることによって、各係合テープ３，３・・と各ループ体４，４・・とを結合させる。そのように、各係合テープ３，３・・と各ループ体４，４・・とを結合させると、カバー本体２が枕Ｍの外周に捲回させた状態で保持される。
【００２２】
また、枕の大きさに応じて、各係合テープ３，３・・を挿入させる各ループ体４，４・・のループＲを変更することによって、どの大きさの枕に対しても十分にフィットさせることができる。さらに、各係合テープ３，３・・の先端を各ループ体４，４・・のループＲ内に挿通させた状態で、各係合テープ３，３・・の先端と基端との係合位置（当接位置）を変更することにより、装着状態（フィット状態）を微調整することができる。
【００２３】
＜枕カバーの効果＞
枕カバー１は、上記の如く、略矩形のカバー本体２の対向する２辺の内の片辺に、折り曲げた同側面同士を互いに係合可能な係合テープ３，３・・が、所定の間隔で、片辺に対して直交するように設けられているとともに、カバー本体２の片辺と対向する他辺に、係合テープ３を挿通可能なループ体４，４・・が、係合テープ３，３・・と略同一の間隔で、他辺に対して直交するように設けられているため、カバー本体２を枕の外周に捲回させた状態でループ体４，４・・のループＲ（Ｒ１，Ｒ２，Ｒ３のいずれか）内に係合テープ３，３・・の先端を挿通させて、その先端を基端に係着させるだけで、きわめて容易に枕に装着することができる。また、係合テープ３，３・・の先端を基端から引き剥がすだけで、きわめて容易に枕から脱着することができる。
【００２４】
また、枕カバー１は、ループ体４，４・・が、大きさの異なる複数のループＲ１，Ｒ２，Ｒ３を連設したものであるため、係合テープ３，３・・を挿通させるループ体４，４・・のループＲ１，Ｒ２，Ｒ３を変更することによって、大きさや形状の異なる多種類の枕に装着することができる。
【００２５】
さらに、枕カバー１は、係合テープ３，３・・が互いに係合可能な複数の雄型突起１２，１２・・と複数の雌型突起１３，１３・・とを同一面に混在するように突設したものであるため、係合テープ３，３・・をどの位置で折り曲げても先端と基端とを係合させることができるので、係合テープ３，３・・の先端と基端との係合位置を調整することによって、枕に対する装着状態（フィット状態）を微調節することができる。また、製造時には、係合テープ３，３・・に雄型突起と雌型突起とを別々に設ける必要がないので、非常に容易に製造することができる。
【００２６】
加えて、枕カバー１は、カバー本体２の裏面にポケットＰが設けられているので、当該ポケットＰに保冷剤等を収納することによって、夏期の猛暑の中でも使用者に涼感を提供することができる。また、枕カバー１は、ポケットＰの開口側に被覆シート１０が設けられているので、枕を動かしたときでもポケットＰに収納した保冷剤を抜け落ちないように保持することができる。
【００２７】
なお、本発明に係る枕カバーの構成は、上記実施形態の態様に何ら限定されるものではなく、カバー本体、係合テープの材質、形状、構造等の構成を必要に応じて適宜変更することができる。
【００２８】
たとえば、枕カバーは、上記実施形態の如く、対向する両端縁に係合テープとループ体とをそれぞれ３個ずつ取り付けたものに限定されず、対向する両端縁に係合テープとループ体とをそれぞれ２個ずつ取り付けたものや、対向する両端縁に係合テープとループ体とをそれぞれ４個以上取り付けたものでも良い。
【００２９】
また、係合テープは、上記実施形態の如く、互いに係合可能な複数の雄型突起と複数の雌型突起とを同一面に混在するように突設したものに限定されず、先端側に雄型突起あるいは雌型突起を設けるとともに基端側に雌型突起あるいは雄型突起を設けたもの等に変更することも可能である。
【００３０】
さらに、ループ体は、上記実施形態の如く、二つ折りにした紐体の中間の２箇所において２片を縫い付けたものに限定されず、二つ折りにした紐体の中間の１箇所のみにおいて２片を縫い付けたものや、二つ折りにした紐体の中間の３箇所以上において２片を縫い付けたもの等に変更することも可能である。
【００３１】
加えて、ループ体は、上記実施形態の如く、先端側のループを基端側のループより大きくしたもの（すなわち、内側の縫い付け部から外側の縫い付け部までの長さ（図５におけるＢ）を基端から内側の縫い付け部までの長さ（図５におけるＡ）より長くし、外側の縫い付け部から先端（二つ折りした部分）までの長さ（図５におけるＣ）を、内側の縫い付け部から外側の縫い付け部までの長さ（図５におけるＢ）より長くしたもの）に限定されず、同一の大きさのループを連設したものや、基端側のループを先端側のループより大きくしたもの等に変更することも可能である。なお、上記実施形態の如く、先端側のループを基端側のループより大きくした場合には、大きな枕に装着する際の作業性が一層向上し、基端側のループを先端側のループより大きくした場合には、小さな枕に装着する際の作業性が一層向上する。
【符号の説明】
【００３２】
１・・枕カバー
２・・カバー本体    
３・・係合テープ
４・・ループ体
Ｒ（Ｒ１，Ｒ２，Ｒ３）・・ループ
１２・・雄型突起
１３・・雌型突起
【図１】
2010227384.tif 000003
【図２】
2010227384.tif 000004
【図３】
2010227384.tif 000005
【図４】
2010227384.tif 000006
【図５】
2010227384.tif 000007
【図６】
2010227384.tif 000008